【手続補正書】
【提出日】平成27年10月30日(2015.10.30)
【手続補正１】
【補正対象書類名】明細書
【補正対象項目名】全文
【補正方法】変更
【補正の内容】
【発明の詳細な説明】
【発明の名称】ＵＶ照射による活性種の溶媒生成システムと方法
【技術分野】
【０００１】
本発明は、衛生化システムに関する。より詳細には、有害な病原菌の殺菌能を有する活性種を生成する衛生化システムに関するものである。具体的には、本発明は、衛生化システム及び関連する方法に関するものであって、選択された光波長の真空紫外線（ＶＵＶ）および／または遠紫外線（ＦＵＶ）を液体溶媒と共に使用し、任意に、所定のガスを使用し、高い抗菌性作用を生成するものである。
【背景技術】
【０００２】
当該技術分野では、石鹸と水を利用して人の手やその他の洗浄対象物上のバイ菌を効果的に殺菌したり減菌したりすることについては、よく知られている。病院や食物の準備段階にバイ菌を最小化することは、非常に重要であり、病気や他の有害な病原菌の広まりを最小化する。これは、患者や顧客の健康を確保するために、バイ菌のさらなる伝搬を防止するために行われる。
【０００３】
しかし、病原菌やバイ菌は従来の衛生化方法に対してより耐性を持つようになり、他の病原菌／バイ菌の殺菌方法が開発されつつある。実際、紫外線領域のある光周波数の使用は見込みがあることが示されてきた。共通のアプローチは、ＵＶ光のうちＵＶＣ波長（ピーク＝２５４ｎｍ）を使用することである。しかしながら、２５０ｎｍを超えるＵＶＣ光の使用は、長時間の露出により人の皮膚や物品に劣化が生じるという欠点がある。よく記されているように、これらの波長の長い（２５０ｎｍ及びそれより上）光は、焼けを起こすことがあり、皮膚がんの発生原因となったり、他の疾病の原因となったりする。ＵＶＣ波長光の被曝は、ＤＮＡを直接損傷するとも報告されている。比較的波長の長いＵＶＣ（対ＶＵＶとＦＵＶ＜２３０ｎｍ）は、バジル皮膚細胞にも到達し、特にＵＶに敏感な同細胞にＤＮＡの損傷を引き起こすのである。
【０００４】
衛生化へのＦＵＶ使用は、従来にも報告されてきたが、その有効性は透過できるところに限定され、ＵＶ光線の直射光線上にあることを要する。換言すると、ＵＶ光線は、皮膚の皺やたるみにより透過できず、ここの病原菌は、紫外線から遮蔽され、このようだから、目的物体上のすべての病原菌の殺菌という紫外線光効果は消滅するのである。
【０００５】
時々、ＵＶ光と合わせて過酸化水素を使用することも知られているが、過酸化水素は、皮膚の炎症を生じない濃度では効果が十分でない。さらに、過酸化水素水の輸送、保存安定性及び取扱は制御できない環境への広範な実装さには複雑なのである。
【発明の概要】
【発明が解決しようとする課題】
【０００６】
ＶＵＶにより直接水を殺菌することが報告されている。このようなシナリオでは、ＶＵＶ光の露光する経路を取るように水が供給され、水の中に高いレベルの活性種が生成される。しかし、ＶＵＶ及び／又はＦＵＶと合わせて液溶媒を衛生化液へ有用に転換させることついては知られていない。
【０００７】
衛生化システム技術では、選択された紫外線光波長と、合わせて溶媒を使用し、活性種の数と反応性の双方を増加させる。その上、衛生化される対象の物を損傷しない紫外線光波長を利用する要請があり、商品を損傷せず、等級を劣化させない溶媒を使用するのである。
【課題を解決するための手段】
【０００８】
前述したように、本発明は、ＵＶ照射によって溶媒に活性種を生成させる方法とシステムを提供するところに第一の特徴がある。
【０００９】
本発明の次の特徴は、試料に投射され、光波長を１２０〜１３３ｎｍの間の任意の波長とし、物品に向かって投射される紫外線光及び物品のまわりへ散布され、投射された紫外線光と交差し、光の振動数との相互作用により活性酸素種を生成し、物品上の病原菌をせん滅する溶媒から成る物品を衛生化するシステムを提供することにある。
【００１０】
本発明の追加の特徴は、１２２〜２３０ｎｍの間の任意の光波長を持つ紫外線を照射し、溶媒と紫外線光を合わせて活性酵素種を生成し商品上の病原菌と接触し殺菌する、物品と紫外線に溶媒処理をすることから成る物品を衛生化する方法を提供することにある。
【図面の簡単な説明】
【００１１】
本発明のこの及び他の利点と特徴は、以下の記述、末尾に添付されている特許請求の範囲及び添付図面によりよく理解される。ここで：
【図１】本発明の概念に従った物品を衛生化するシステムの概要図である。
【発明を実施するための形態】
【００１２】
図１を参照すれば、物品の衛生化システムは凡そ数字の２０で表される。物品１２は、衛生化を必要とされているすべての対象物がこれで表され、システム２０内に置かれる。 物品１２は、医療器具；家庭用品；プレート；食糧を用意する装置；動物や人間の手足等の皮膚表面を含む表面；衣服；おもちゃ及び病原菌が繁殖する環境に頻繁にさらされる他のあらゆる物体と考えてよい。
【００１３】
システム２０は、手動又は自動化システムで物品１２が搬入されるチャンバー１４を含む。特に搬入コンベア１６は、チャンバー１４の一方の側に設置され、コンベアは電動化され、又は、他の場合には、ある位置からチャンバーの入り口まで物品を移動するように操作される。チャンバー１４の反対側には、搬出コンベア１８が設置され、こちらも物品をチャンバーから搬出するように電動化されることもある。チャンバー１４には、任意の数の天井、側面、正面及び／又は背面のチャンバー・パネル２２を含み、少なくともチャンバーが一部は閉じられている。チャンバー・パネル２２は、パネルのいずれかにチャンバー入口を備え、物品１２の搬入及び／又は搬出を可能とする。チャンバー入口２４は、密閉環境を維持しつつ、物品の搬入と搬出が可能となるように撓み自在の薄板２６でカバーされている。チャンバーは物品１２を受入れるに足るサイズに構成される。
【００１４】
チャンバー１４は、内部コンベア２８を備え、コンベア２８は、コンベア入口１６及びコンベア出口１８の間に挟まれ、チャンバー内の物品１２の連続輸送を可能とする。コンベア１６，１８及び２８は、電動化されることもあるし、マニュアルで操作されることもある。
【００１５】
チャンバー１４内では紫外線（ＵＶ）光源３０がどこでも維持されている。ただ一つの光源が図では示されているが、当業者であれば、「光源」は、チャンバー１４内に戦略的に配置されている複数の光源とされることを理解できる。光源３０は、所定の波長のものが生成される。本実施態様では、光源３０は、１２２から２３０ｎｍの間の波長の光波周波数を生成する。他の実施態様では、この範囲は約１８０から約１９５ｎｍの間にフォーカスされた範囲のものもある。他の実施態様では、約１８８ｎｍという特定の波長が使用される。殆どの実施例では、±１ｎｍの狭い幅の紫外線光波長が利用される。また、複数の光源が使用されるならば、同一の又は上記の異なる波長のものが各々の特定の光源として使用することもできる。例えば、ある光源は特定の１８８ｎｍの波長を供給し、一方でもう一つの光源は、より広い幅の１２２から２３０ｎｍの間の波長を提供することもできる。
【００１６】
リザーバ３１はチャンバー１４に伴って又はその外に配置されるとしてもすぐそばに置かれる。リザーバ３１は、空気、水、窒素、過酸化水素等を様々な濃度の溶媒を保存する。いくつかの実施態様では、リザーバはいくつかの区画に分けられ、異なるタイプの溶媒を含むことがある。例えば、リザーバ３１Ａは、空気を、３１Ｂは窒素を含む。各リザーバは、他端にノズル３４Ａ／Ｂを備える供給ライン３２と接続され、各ノズルは選択された溶媒を閉じられたチャンバー内１４に供給する。当業者であれば、ノズル３４は溶媒を水流、スプレイ、ミスト又はあらゆる方法で溶媒を供給するように構成され、結果、チャンバー１４内に溶媒を広く散布することがわかる。これは、ノズルの出口サイズを調整することでなせる。ノズル３４は、溶媒をピコレベルサイズで液滴化する圧電素子３４‘と合体されることもある。実際、液滴は微粒子と云われる。これらの小さな液滴は、より活性化された活性種を生成することができ、システム２０の清浄効果を大いに向上させる。ノズルは光源の近くに配置される。換言すれば、いくつかの実施態様では、ノズルは光源の下方に配置され、他の実施態様ではノズルは、光源の上方やそのまわりに配置される。
【００１７】
他の実施態様では、追加のリザーバ３１‘をチャンバーの外に伴う場合がある。リザーバ３１‘は溶媒を直接チャンバー１４内に又はリザーバ３１Ａ／３１Ｂ内に散布し、それからチャンバー１４内に散布する。追加のリザーバは、近年扱われるようになった水等の液体を保持する。例えば、液体はタンク３５に保持されて適当なサイズのパイプ又は樋３６を流れ、真空ＵＶ光源３７により生成される真空ＵＶ波長光に晒される。真空ＵＶ光への露光はより高いレベルの活性種を生成し、処理液はこれから述べるようにチャンバー１４内でさらに処理される。真空ＵＶ光への露出はより高いレベルの活性種を生成し、処理液は、これから述べるようにチャンバー１４内でさらに処理される。
【００１８】
コントローラ４０は、ＵＶ光源３０に接続され、リザーバ３１Ａ／３１Ｂ、圧電素子ノズル３４’及びコンベア１６，１８及び２８に接続されている。コントローラ４０は、技術者又はユーザーから入力を受けると、光操作を制御し、封入内部への溶媒の供給を制御し、溶媒の微粒子化及びチャンバー内の物品の輸送を必要応じ制御する。当業者であれば、ポンプ機構４２は各々のリザーバに伴い溶媒を所望のレートでチャンバー１４内の閉じられた領域に供給することがわかる。
【００１９】
操作上、物品１２は、チャンバー１４内をコンベア１６，１８及び２８によって搬送され、物品は撓み自在の薄板を通って入口から入り、暫くの間停止するか、連続的に密閉室内を所定の速度で搬送され、溶媒と紫外線光に露光され、この両者が相互作用する。代替実施態様として、物品は、手動により撓み自在の薄板を通して挿入され所定の又は適当な期間内露光される。露光では、物品を回転及び／又は移動し、全ての表面が光と溶媒の両者共に晒されることを確実にする。一般的には、システム２０は紫外線光及び溶媒を利用して物品の表面やユーザーの皮膚に生息する病原体を不活性化し、ある実施態様では、遠紫外光（１２２から２３０ｎｍ）が使用され、一酸化窒素、ヒドロキシルラジカル及び一重項酸素等の選択された種が生成され、表面の病原菌の棲家に対して高く効果的な抗菌作用を呈する。溶媒は、酸素、空気及び窒素等のガスタイプから選択されることもあり、物品の基材表面の利用できるエネルギーを変化させると同時に活性種のタイプを決定する。所定の紫外線光波長の選択と所定の溶媒の選択によって、システムの効果と基材の安全性との調和を保つことができる。換言すれば、特定の基材によっては、その基材表面特性は、窒素等の溶媒の濃度、１８８ｎｍ等の特定の光波長が選択された病原菌を物品や皮膚を損傷させずに殺菌するに好適である場合がある。加えて、当業者は、ここで開示されたシステム２０の処理特徴や性質は、物品を効果的に衛生化する置換や組み合わせに使用されることが理解されるだろう。 
【００２０】
上述されたシステムとメソドロジは空気、酸素に存する活性種、直接には水及び／又はアルコール溶液に存する活性種を生成し、コーティングを作りそこには、無用な病原菌を殺菌あるいは減菌する活性種が効果的に集合していることは、当業者には理解されているだろう。いくつかの実施形態では、水  及び／又はアルコール溶媒は、紫外線光源と物品の基材との間に散布されたり、ミストされたりする。他の実施形態では、真空ＵＶに露光されるという前処理された溶媒は、液としてリザーバ３１’に保管されて利用するということも可能であろう。そして、他の実施形態では、ドライ窒素ガス溶媒は紫外線照射を吸収し、酸素と水をなくすことによって、表面エネルギを増加させると考えられている。このような構成は、以下のアドバンテージをもたらす。すなわち、ＵＶ光からの高エネルギと皮膚への浅い透過の組み合わせは、皮膚又は物品の表皮層に素早く殺菌効果のあるゾーンを表面層下の皮膚細胞に影響を与えずに作る期待もできる。チャンバー１４内での窒素酸化物（抗菌性があることで知られる）の生成と使用は、物品の衛生化に高い効果があり、有利な点がある。液体溶媒の使用が衛生化可能な領域は、今日のＵＶ衛生化システムの制約事項である紫外線光に直射される範囲に限られない。アルコール溶媒の使用は、紫外線光自体の効果を超えて、追加の効果を生みだすが、そこでは、ＵＶは病原菌殺菌の範囲を広げるのに貢献しているのである。本システム及び関連する方法は、衛生化の目的達成に効果的であると信じられている。例をあげれば、現在の病院で行われている殺菌処理では、最大１０分要している。しかし、ここで開示されたシステム及び方法は、同程度のあるいはよりレベルの高い衛生化を飛躍的に短い時間で提供することができる。 
【００２１】
したがって、本発明の目的は、上述された使用に係る構成とその方法によって満たされていることがわかる。特許庁に従い、ベストモード及び好適実施例のみが詳細に記述されているが、本発明はそれに又はそれによって制限されるものではないことを理解されたい。よって、本発明の真のスコープと広がりの理解には、以下の特許請求の範囲を参照すべきである。
【手続補正２】
【補正対象書類名】特許請求の範囲
【補正対象項目名】全文
【補正方法】変更
【補正の内容】
【特許請求の範囲】
【請求項１】
１２２〜２３０ｎｍの間の任意の光波長で物品に向かい照射される紫外線光；及び
前記物品のまわりに散布され、紫外線照射光と交差する溶媒であって前記溶媒は、前記光波長の光と相互作用し、前記物品上の病原菌をせん滅する活性酸素種を生成する溶媒を備えた物品の衛生化システム。 
【請求項２】
前記紫外線光を保持し前記溶媒を含み、部分的に閉じられているチャンバーをさらに備える請求項１記載のシステム。  
【請求項３】
前記溶媒は、空気、酸素、水、アルコール、水とアルコールの混合及び窒素からなる群の中から選ばれたものである請求項２記載のシステム。
【請求項４】
前記溶媒は、少なくとも二つの置換成分から成り、うち一つは窒素ガスであることを特徴とする請求項２記載のシステム。 
【請求項５】
前記光波長は、１８０〜１９５ｎｍの間である請求項２記載のシステム。 
【請求項６】
前記溶媒は、少なくとも二つの置換成分からなり、うち一つは窒素ガスであって、光波長は１８０〜１９５ｎｍの間である請求項２記載のシステム。 
【請求項７】
他方の置換成分はアルコールであって、前記光波長は１８０ｎｍである請求項６記載のシステム。 
【請求項８】
前記光波長は、１９５〜２３０ｎｍの間である請求項２記載のシステム。
【請求項９】
前記溶媒は少なくとも二つの置換成分から成り、うち一つは窒素がであって前記光波長が１９５〜２３０ｎｍの間である請求項２記載のシステム。
【請求項１０】
前記溶媒は、真空ＵＶ光に露光する事前処理をされた水である請求項２記載のシステム。
【請求項１１】
前記溶媒を前記一部が閉じられたチャンバー内に散布するノズルをさらに備える請求項２記載のシステム。 
【請求項１２】
前記ノズルは前記溶媒を微粒子化する圧電素子からなることを特徴とする請求項１１記載のシステム。
【請求項１３】
前記溶媒は、十分な窒素であって、前記光波長は約１８８ナノメーターである請求項２記載のシステム。
【請求項１４】
光波長を１２２〜２３０ｎｍの間の任意の紫外線光を物品に向かい照射するもの；及び、
前記物品及び前記紫外線光のまわりを溶媒で処理するものであって、前記溶媒及び前記紫外線光の混合が活性酸素種を生成し前記物品上の病原菌と接触し殺菌する物品の衛生化方法。
【請求項１５】
少なくとも一部に前記紫外線光と前記溶媒を封入するチャンバーであって、物品を出し入れできる開口を少なくとも一つ有する前記チャンバーを備える請求項１４記載のシステム。
【請求項１６】
さらに前記チャンバー内を通して前記物品を搬送する請求項１４記載の方法。 
【請求項１７】
前記少なくとも一つの前記紫外線光の光波長又は前記溶媒の濃度を選択された病原菌の効果的な殺菌に向けさらに最適化調整する請求項１５記載の方法。
【請求項１８】
第二の溶媒を前記物品に対して処理し、第一及び第二の溶媒並びに前記紫外線光は活性酸素種をさらに生成する請求項１７記載の方法。
【請求項１９】
紫外線光の光波長を１８０〜１９５ｎｍの間にさらに調整する請求項１５記載の方法。
【請求項２０】
撓み自在の薄板でカバーされている少なくとも一つの開口を有するチャンバーをさらに備える請求項１５記載の方法。
【請求項２１】
波長約１８８ｎｍの紫外線光を前記物品に向けて照射し；及び
窒素溶媒を前記物品に十分に与える処理をさらに含む請求項１５記載の方法。
【請求項２２】
前記請求項１４の処理は、前記溶媒をノズルから散布し液滴を形成させ前記紫外線光に露光される処理からなる請求項１４記載の方法。
【請求項２３】
前記請求項２２の処理は、前記溶媒を圧電素子ノズルから散布し微粒子状の液滴を形成させ前記紫外線光に露光する処理からなる請求項２２記載の方法。
【請求項２４】
前記溶媒を真空ＵＶ光に露出させる事前処理をさらに含む請求項１４記載の方法。